(57)【要約】      （修正有）【課題】水を加えて軽く攪拌するだけで誰でも簡単に人工海水が得られるようにした人工海水用原液を提供する。【解決手段】人工海水の素は、塩分濃度を海水より濃くした液体を、包装容器に詰めてなり、包装容器から取り出した液体に水を加えて軽く攪拌するだけで海水に見合うような塩分濃度に調整できる。また、塩分濃度を海水より濃くし、かつ塩素中和剤を配合した液体を、包装容器に詰めてなり、包装容器から取り出した液体に水道水を加えて軽く攪拌するだけで人口海水が得られるようにした。さらに、塩分濃度を海水より１０倍濃くした液体を、包装容器に詰めてなり、所望の塩分濃度の海水を得るために包装容器から取り出した液体に加える水量が最初から数値的に明確になるように構成した。【選択図】図１
0003129707.tif 000002
【実用新案登録請求の範囲】
【請求項１】
塩分濃度を海水より濃くした液体を、包装容器に詰めてなることを特徴とする人工海水の素。
【請求項２】
塩分濃度を海水より濃くし、かつ、塩素中和剤を配合した液体を、包装容器に詰めてなることを特徴とする人工海水の素。
【請求項３】
塩分濃度を海水より１０倍濃くした液体を、包装容器に詰めてなることを特徴とする人工海水の素。
【考案の詳細な説明】
【技術分野】
【０００１】
本考案は、水を加えるだけで誰でも簡単に海水で生息する生物（たとえば、海水魚）を飼育できる人工海水を製造できる人工海水の素に関するものである。
【背景技術】
【０００２】
室内外の水槽にて海水で生息する生物を飼育する場合、海水そのものを採取して使用することが最も理想であるが、大量の海水を輸送等することは困難である上に、輸送コストがかかるため、通常では、粉末又は顆粒状にして発売されている人工海水製造用の塩が利用されている。人工海水製造用の粉末又は顆粒状の塩はこれに水を加えて攪拌、溶解すれば人工海水となる点で手軽で便利であった。
【考案の開示】
【考案が解決しようとする課題】
【０００３】
しかしながら、上記粉末又は顆粒状の人工海水製造用の塩は手軽ではあったが、水を加えてよく攪拌（特殊な攪拌機を用いて）しなければ充分に溶解せず、特に、塩分をバランス良く分散させることは、初心者には勿論のこと、経験者にとっても必ずしも容易ではなかった。
【０００４】
本考案は、上記の点に鑑み案出したもので、その目的とするところは、水を加えて軽く攪拌するだけで誰でも（初心者でも、経験者でも）簡単に人工海水が製造できるようにした人工海水の素を提供することにある。
【課題を解決するための手段】
【０００５】
上記の目的を達成するため、本考案に係る人工海水の素は、塩分濃度を海水より濃くした液体を、包装容器に詰めてなることを特徴とし、包装容器から取り出した液体に水を加えて軽く攪拌するだけで海水に見合うような塩分濃度に調整できるように構成した。
【０００６】
また、請求項２に記載の人工海水の素は、塩分濃度を海水より濃くし、かつ、塩素中和剤を配合した液体を、包装容器に詰めてなることを特徴とし、包装容器から取り出した液体に、水道水を加えて軽く攪拌するだけで人工海水が得られるように構成した。
【０００７】
さらに、請求項３に記載の人工海水の素は、塩分濃度を海水より１０倍濃くした液体を包装容器に詰めてなることを特徴とし、所望の塩分濃度の人工海水を得るために包装容器から取り出した液体に加える水量が最初から数値的に明確になるように構成した。
【考案の効果】
【０００８】
本考案によれば、塩分がよく分散されている塩分濃度の濃い液体を包装容器に詰めてなるから、容器ごと液体の状態で販売でき、しかも、これを買い求めた者は包装容器から液体を水槽等の中に注入し、これに必要な量の水を加えて軽く攪拌するだけで塩分濃度の調整が容易である。したがって、大容量の海水をも家庭において簡単に得られ、海水の運搬コストを大幅に省くことが出来るなど、各種の優れた効果を奏するものである。
【０００９】
また、請求項２に記載の考案によれば、塩素中和剤が配合されているため、カルキ（殺菌用の石灰）を抜かなくても包装容器から取り出した液体に、単に、水道水が加えられるので、家庭等において手軽に海水が製造できるという優れた効果を奏するものである。
【００１０】
さらに、請求項３に記載の考案によれば、包装容器から取り出した液体に、加える水量が最初から数値的に明確になっているから適正な塩分濃度の人工海水を誰にでも簡単に製造（あとから塩分調整は必要）できるという優れた効果を奏するものである。
【考案を実施するための最良の形態】
【００１１】
次に、本考案の実施形態を図面に基づいて説明する。図１は本願人工海水の素（液体）を示す一部切欠正面図、図２は本願人工海水の素（液体）と水道水との混合状態を示す説明図である。
【００１２】
本願人工海水の素１は、図１の如く、塩分濃度を海水より濃くした液体２を、包装容器３に詰めてなる。この包装容器３は、図示の例では、把手付きのプラスチックボトルが示されているが、プラスチック袋のような袋状包装容器であっても良い。また、包装容器３はプラスチック袋と紙箱、あるいは金属箱、あるいはプラスチック箱と組合せたものでもよいが、内部に充填した液体２が一部でも透けて見えるようにしたものが好ましい。
【００１３】
前記包装容器３は、大（１０Ｌ用）、中（６Ｌ用）、小（３Ｌ用）の３種類ぐらい用意することが好ましい。例えば、図２の如く、水槽４にて人工海水５を作る場合、該水槽４の容量に合わせて大、中、小の包装容器３の中から適当な容量のものを選んで液体２を注入し、水道の蛇口５から水道水６を加えつつ軽く攪拌して人工海水を製造する。このときの塩分濃度は濃度比重計（図示せず）を用いて１．０２０〜１．０２３の範囲内にあるか否かを確認する。
【００１４】
前記本願人工海水の素１を構成する液体２中に含まれている主成分は、塩素（Ｃｌ）、ナトリウム（Ｎａ）、マグネシウム（Ｍｇ）、カルシウム（Ｃａ）、カリウム（Ｋ）、硫黄（Ｓ）、臭素（Ｂｒ）、炭素（Ｃ）、ストロンチウム（Ｓｒ）、ホウ素（Ｂ）、フッ素（Ｆ）、シリコン（Ｓｉ）その他である。勿論、この成分に限定するものではない。
【００１５】
前記液体２は、海洋深層水から採れた天然ミネラル豊富な水を一部又は全部に使うこともある。この液体２にはペーハー（ｐｈ）安定剤を適量混入し、長期にわたってｐｈ８〜８．３に安定維持できるようにすると、海水魚は勿論、サンゴ等の無脊椎動物にも有効である。すなわち、サンゴ等の無脊椎動物に対してｐｈダウンによるストレスを与えることがないためである。また、サンゴ等の無脊椎動物に対してはカルシウム（Ｃａ）がバランス良く配合されていることが有効であるし、コケの発生を抑える天然物質からなるコケ防止剤を配合することもある。
【００１６】
前記本願人工海水の素１を構成する液体２の塩分濃度は、海水の塩分濃度を基礎とし、これより濃く作られている。これは海水を濃縮して濃く作ってもよいが、通常では、粉末又は顆粒状で販売されている人工海水製造用の塩を利用して高濃度の塩分を有する液体２を作っている。したがって、この液体２の塩分濃度は自由に決定できるので、前記包装容器３の表面には、液体２の塩分濃度が、例えば、海水の何倍というように表示しておくと良いし、他の表示法を採用しても良い。
【００１７】
前記包装容器３内に詰めた液体２の塩分濃度は、海水の１０倍であると、これに加える水の量が最初から明確になる点で好ましい。ここに「海水の１０倍」とは、例えば、１０Ｌ用の包装容器３から液体２にて１００リットルの海水を製造する場合、１０Ｌ用の包装容器３から１０リットルの液体２を取出し、水を加えて１００リットルにすることを意味する。加える水自体の量は９０リットルとなる。
【００１８】
前記液体２を原液として海水の塩分濃度に見合うように調整する場合、通常は、塩分濃度を比重計で測定しつつ水を加えて行くが、１０倍の水で薄めれば良いというようになっていれば、その調整がより楽になるものである。
【００１９】
前記包装容器３に詰めた液体２には塩素中和剤を配合しておくこともある。これは図２の如く、カルキを抜かない水道水もそのまま液体（原液）２を薄める水として利用できるようにするために有効である。これにより、誰でも（初心者でも）手軽に人工海水が製造できるようになる。
【００２０】
前記包装容器３は、その上位には、満タンを表示した上ライン７と、下位には約１０％程度の残量を表示した下ライン８が設けられている。上ライン７まで液体２を詰めると、例えば、１０Ｌ用の包装容器３で１１リットルとなる。また、下ライン８は残り１０％の残量ラインとなる。なお、包装容器３を傾けたときに１０％の残量を目安として示す、傾斜ライン８′を補助的に設けておくと良い。
【００２１】
前記包装容器３に下ライン８を設けて１０％の残量が得られるようにしたのは、包装容器３から注いだ液体２に水を加えて人工海水を製造してから比重計を用いて塩分濃度を測定し、その濃度が１．０２０〜１．０２３の範囲内であることを確認するが、塩分濃度が１．０２０以下であるときに、上記範囲内まで塩分濃度を上げるように調整する必要があり、そのために使用する。つまり、塩分濃度調整用のためである。
【００２２】
なお、塩分濃度は、水槽中の人工海水の蒸発によって上がることがある。したがって、水槽中の人工海水は適時、濃度比重計を用いてチェックして塩分濃度を調整することが必要である。また、水槽中の人工海水は一定の間隔で半分ないし２／３を交換するが、このときは、予め、他の容器（バケツなど）にて包装容器３から注いだ液体２に水を加えて人工海水を製造するが、そのときも塩分濃度の調整が必要となる。
【００２３】
次に、本考案の作用について説明する。今、たとえば、１００リットル水槽にて、人工海水を作る場合、１０Ｌ用の包装容器３中の液体（原液）２を、下ライン８以下の液体を残して１０リットル分入れる。
【００２４】
前記包装容器３中の液体（原液）２の塩分濃度が、海水の１０倍であって塩素中和剤を配合したものであるときは、前記水槽の１００リットルラインまで水を加えつつ攪拌していく（包装容器の表面に１０倍の表示と塩素中和剤配合の表示ある）。
【００２５】
しかる後、塩分濃度比重計を用いて水槽中の塩分濃度が１．０２０〜１．０２３の範囲内にあるか否かをチェックする。このチェックによって塩分濃度が１．０２０以下であるときは、前記包装容器３に残した２リットルの液体（原液）２を使って塩分濃度が上記範囲内になるまで調整して人工海水とする。
【００２６】
次いで、水槽中の人工海水には、海水で生息する生物、たとえば、飼育者の好みのフレームエンゼルとか、カクレクワノミなどの魚類、あるいはサンゴ等の無脊椎動物などを入れて飼育することとなる。
【産業上の利用可能性】
【００２７】
本願人工海水の素は、水（水道水も可）を加えて攪拌するだけで誰でも（初心者でも、長年の経験者でも）簡単に人工海水が手軽に製造できるものである。
【図面の簡単な説明】
【００２８】
【図１】本願人工海水の素を示す一部切欠正面図である。
【図２】本願人工海水の素から注いだ液体と水道水との混合している状態を示す説明図である。
【符号の説明】
【００２９】
１  本願人工海水の素
２  液体
３  包装容器
４  水槽
５  人工海水
６  水道の蛇口から水
７  上ライン（満タンライン）
８  下ライン（残量１０％ライン）
８′補助ライン
【図１】
0003129707.tif 000003
【図２】
0003129707.tif 000004
【手続補正書】
【提出日】平成18年9月22日(2006.9.22)
【手続補正１】
【補正対象書類名】実用新案登録請求の範囲
【補正対象項目名】全文
【補正方法】変更
【補正の内容】
【実用新案登録請求の範囲】
【請求項１】
塩分濃度を海水より濃くした液体を、包装容器に詰めてその容器の形状にしたことを特徴とする人工海水の素体。
【請求項２】
塩分濃度を海水より濃くし、かつ、塩素中和剤を配合した液体を、包装容器に詰めてその容器の形状にしたことを特徴とする人工海水の素体。
【請求項３】
塩分濃度を海水より１０倍濃くした液体を、包装容器に詰めてその容器の形状にしたことを特徴とする人工海水の素体。
【手続補正２】
【補正対象書類名】明細書
【補正対象項目名】全文
【補正方法】変更
【補正の内容】
【考案の詳細な説明】
【技術分野】
【０００１】
本考案は、水を加えるだけで誰でも簡単に海水で生息する生物（たとえば、海水魚）を飼育できる人工海水を製造できる人工海水の素体に関するものである。
【背景技術】
【０００２】
室内外の水槽にて海水で生息する生物を飼育する場合、海水そのものを採取して使用することが最も理想であるが、大量の海水を輸送等することは困難である上に、輸送コストがかかるため、通常では、粉末又は顆粒状にして発売されている人工海水製造用の塩が利用されている。人工海水製造用の粉末又は顆粒状の塩はこれに水を加えて攪拌、溶解すれば人工海水となる点で手軽で便利であった。
【考案の開示】
【考案が解決しようとする課題】
【０００３】
しかしながら、上記粉末又は顆粒状の人工海水製造用の塩は手軽ではあったが、水を加えてよく攪拌（特殊な攪拌機を用いて）しなければ充分に溶解せず、特に、塩分をバランス良く分散させることは、初心者には勿論のこと、経験者にとっても必ずしも容易ではなかった。
【０００４】
本考案は、上記の点に鑑み案出したもので、その目的とするところは、水を加えて軽く攪拌するだけで誰でも（初心者でも、経験者でも）簡単に人工海水が製造できるようにした人工海水の素体を提供することにある。
【課題を解決するための手段】
【０００５】
上記の目的を達成するため、本考案に係る人工海水の素体は、塩分濃度を海水より濃くした液体を、包装容器に詰めてその容器の形状にしたことを特徴とし、包装容器から取り出した液体に水を加えて軽く攪拌するだけで海水に見合うような塩分濃度に調整できるように構成した。
【０００６】
また、請求項２に記載の人工海水の素体は、塩分濃度を海水より濃くし、かつ、塩素中和剤を配合した液体を、包装容器に詰めてその容器の形状にしたことを特徴とし、包装容器から取り出した液体に、水道水を加えて軽く攪拌するだけで人工海水が得られるように構成した。
【０００７】
さらに、請求項３に記載の人工海水の素体は、塩分濃度を海水より１０倍濃くした液体を包装容器に詰めてその容器の形状にしたことを特徴とし、所望の塩分濃度の人工海水を得るために包装容器から取り出した液体に加える水量が最初から数値的に明確になるように構成した。
【考案の効果】
【０００８】
本考案によれば、塩分がよく分散されている塩分濃度の濃い液体を包装容器に詰めてその容器の形状にしたから、液体の状態で容器ごと販売でき、しかも、これを買い求めた者は包装容器から液体を水槽等の中に注入し、これに必要な量の水を加えて軽く攪拌するだけで塩分濃度の調整が容易である。したがって、大容量の海水をも家庭において簡単に得られ、海水の運搬コストを大幅に省くことが出来るなど、各種の優れた効果を奏するものである。
【０００９】
また、請求項２に記載の考案によれば、塩素中和剤が配合されているため、カルキ（殺菌用の石灰）を抜かなくても包装容器から取り出した液体に、単に、水道水が加えられるので、家庭等において手軽に海水が製造できるという優れた効果を奏するものである。
【００１０】
さらに、請求項３に記載の考案によれば、包装容器から取り出した液体に、加える水量が最初から数値的に明確になっているから適正な塩分濃度の人工海水を誰にでも簡単に製造（あとから塩分調整は必要）できるという優れた効果を奏するものである。
【考案を実施するための最良の形態】
【００１１】
次に、本考案の実施形態を図面に基づいて説明する。図１は本願人工海水の素体を示す一部切欠正面図、図２は本願人工海水の素体と水道水との混合させる状態を示す説明図である。
【００１２】
本願人工海水の素体１は、図１の如く、塩分濃度を海水より濃くした液体２を、包装容器３に詰めてその容器の形状にしてなる。この包装容器３は、図示の例では、把手付きのプラスチックボトルが示されているが、プラスチック袋のような袋状包装容器であっても良い。また、包装容器３はプラスチック袋と紙箱、あるいは金属箱、あるいはプラスチック箱と組合せたものでもよいが、内部に充填した液体２が一部でも透けて見えるようにしたものがより好ましい。
【００１３】
前記包装容器３は、大（１０Ｌ用）、中（６Ｌ用）、小（３Ｌ用）の３種類ぐらい用意することが好ましい。例えば、図２の如く、水槽４にて人工海水５を作る場合、該水槽４の容量に合わせて大、中、小の包装容器３の中から適当な容量のものを選んで液体２を注入し、水道の蛇口５から水道水６を加えつつ軽く攪拌して人工海水を製造する。このときの塩分濃度は濃度比重計（図示せず）を用いて１．０２０〜１．０２３の範囲内にあるか否かを確認する。
【００１４】
前記本願人工海水の素１を構成する液体２中に含まれている主成分は、塩素（Ｃｌ）、ナトリウム（Ｎａ）、マグネシウム（Ｍｇ）、カルシウム（Ｃａ）、カリウム（Ｋ）、硫黄（Ｓ）、臭素（Ｂｒ）、炭素（Ｃ）、ストロンチウム（Ｓｒ）、ホウ素（Ｂ）、フッ素（Ｆ）、シリコン（Ｓｉ）その他である。勿論、この成分に限定するものではない。
【００１５】
前記液体２は、海洋深層水から採れた天然ミネラル豊富な水を一部又は全部に使うこともある。この液体２にはペーハー（ｐｈ）安定剤を適量混入し、長期にわたってｐｈ８〜８．３に安定維持できるようにすると、海水魚は勿論、サンゴ等の無脊椎動物にも有効である。すなわち、サンゴ等の無脊椎動物に対してｐｈダウンによるストレスを与えることがないためである。また、サンゴ等の無脊椎動物に対してはカルシウム（Ｃａ）がバランス良く配合されていることが有効であるし、コケの発生を抑える天然物質からなるコケ防止剤の配合することもある。
【００１６】
前記本願人工海水の素体１を構成する液体２の塩分濃度は、海水の塩分濃度を基礎としこれより濃く作られている。これは海水を濃縮して濃く作ってもよいが、通常では、粉末又は顆粒状で販売されている人工海水製造用の塩を利用して高濃度の塩分を有する液体２を作っている。したがって、この液体２の塩分濃度は自由に決定できるので、前記包装容器３の表面には、液体２の塩分濃度が、例えば、海水の何倍というように表示しておくと良い。他の表示法を採用してもよい。
【００１７】
前記包装容器３内に詰めた液体２の塩分濃度は、海水の１０倍であると、これに加える水の量が最初から明確になる点で好ましい。ここに「海水の１０倍」とは、例えば、１０Ｌ用の包装容器３から液体２にて１００リットルの海水を製造する場合、１０Ｌ用の包装容器３から１０リットルの液体２を取出し、水を加えて１００リットルにすることを意味する。加える水自体の量は９０リットルとなる。
【００１８】
前記液体２を原液として海水の塩分濃度に見合うように調整する場合、通常は、塩分濃度を比重計で測定しつつ水を加えて行くが、１０倍の水で薄めれば良いというようになっていれば、その調整がより楽になるものである。
【００１９】
前記包装容器３に詰めた液体２には塩素中和剤を配合しておくこともある。これは図２の如く、カルキを抜かない水道水もそのまま液体（原液）２を薄める水として利用できるようにするために有効である。これにより、誰でも（初心者でも）手軽に人工海水が製造できるようになる。
【００２０】
前記包装容器３は、その上位には、満タンを表示した上ライン７と、下位には約１０％程度の残量を表示した下ライン８が設けられている。上ライン７まで液体２を詰めると、例えば、１０Ｌ用の包装容器３で１１リットルとなる。また、下ライン８は残り１０％の残量ラインとなる。なお、包装容器３を傾けたときに１０％の残量を目安として示す、傾斜ライン８′を補助的に設けておくと良い。
【００２１】
前記包装容器３に下ライン８を設けて１０％の残量が得られるようにしたのは、包装容器３から注いだ液体２に水を加えて人工海水を製造してから比重計を用いて塩分濃度を測定し、その濃度が１．０２０〜１．０２３の範囲内であることを確認するが、塩分濃度が１．０２０以下であるときに、上記範囲内まで塩分濃度を上げるように調整する必要があり、そのために使用する。つまり、塩分濃度調整用のためである。
【００２２】
なお、塩分濃度は、水槽中の人工海水の蒸発によって上がることがある。したがって、水槽中の人工海水は適時、濃度比重計を用いてチェックして塩分濃度を調整することが必要である。また、水槽中の人工海水は一定の間隔で半分ないし２／３を交換するが、このときは、予め、他の容器（バケツなど）にて包装容器３から注いだ液体２に水を加えて人工海水を製造するが、そのときも塩分濃度の調整が必要となる。
【００２３】
次に、本考案の作用について説明する。今、たとえば、１００リットル水槽にて、人工海水を作る場合、１０Ｌ用の包装容器３中の液体（原液）２を、下ライン８以下の液体を残して１０リットル分入れる。
【００２４】
前記包装容器３中の液体（原液）２の塩分濃度が、海水の１０倍であって塩素中和剤を配合したものであるときは、前記水槽の１００リットルラインまで水を加えつつ攪拌していく（包装容器の表面に１０倍の表示と塩素中和剤配合の表示ある）。
【００２５】
しかる後、塩分濃度比重計を用いて水槽中の塩分濃度が１．０２０〜１．０２３の範囲内にあるか否かをチェックする。このチェックによって塩分濃度が１．０２０以下であるときは、前記包装容器３に残した２リットルの液体（原液）２を使って塩分濃度が上記範囲内になるまで調整して人工海水とする。
【００２６】
次いで、水槽中の人工海水には、海水で生息する生物、たとえば、飼育者の好みのフレームエンゼルとか、カクレクワノミなどの魚類、あるいはサンゴ等の無脊椎動物などを入れて飼育することとなる。
【産業上の利用可能性】
【００２７】
本願人工海水の素体は、水（水道水も可）を加えて攪拌するだけで誰でも（初心者でも長年の経験者でも）簡単に人工海水が手軽に製造できるものである。
【図面の簡単な説明】
【００２８】
【図１】本願人工海水の素体を示す一部切欠正面図である。
【図２】本願人工海水の素体から注いだ液体と水道水との混合している状態を示す説明図である。
【符号の説明】
【００２９】
１  本願人工海水の素体
２  液体
３  包装容器
４  水槽
５  人工海水
６  水道の蛇口から水
７  上ライン（満タンライン）
８  下ライン（残量１０％ライン）
８′補助ライン
【手続補正書】
【提出日】平成18年12月7日(2006.12.7)
【手続補正１】
【補正対象書類名】実用新案登録請求の範囲
【補正対象項目名】全文
【補正方法】変更
【補正の内容】
【実用新案登録請求の範囲】
【請求項１】
塩分濃度を海水より濃くした液体を詰めるための密封蓋を有する包装容器であって、該包装容器の上位に満タンを表示した上ラインと、下位に約１０％程度の残量を表示した下ラインを設けたことを特徴とする人工海水の素体の包装容器。
【請求項２】
前記塩分濃度を海水より濃くし液体が、塩素中和剤を配合したものであることを特徴とする請求項１に記載の人工海水の素体の包装容器。
【請求項３】
前記塩分濃度を海水より濃くした液体が、１０倍濃なっていることを特徴とする請求項１に記載の人工海水の素体の包装容器。
【手続補正２】
【補正対象書類名】明細書
【補正対象項目名】全文
【補正方法】変更
【補正の内容】
【考案の詳細な説明】
【技術分野】
【０００１】
本考案は、水を加えるだけで誰でも簡単に海水で生息する生物（たとえば、海水魚）を飼育できる人工海水を製造できる人工海水の素体の包装容器に関するものである。
【背景技術】
【０００２】
室内外の水槽にて海水で生息する生物を飼育する場合、海水そのものを採取して使用することが最も理想であるが、大量の海水を輸送等することは困難である上に、輸送コストがかかるため、通常では、粉末又は顆粒状にして発売されている人工海水製造用の塩が利用されている。人工海水製造用の粉末又は顆粒状の塩はこれに水を加えて攪拌、溶解すれば人工海水となる点で手軽で便利であった。
【考案の開示】
【考案が解決しようとする課題】
【０００３】
しかしながら、上記粉末又は顆粒状の人工海水製造用の塩は手軽ではあったが、水を加えてよく攪拌（特殊な攪拌機を用いて）しなければ充分に溶解せず、特に、塩分をバランス良く分散させることは、初心者には勿論のこと、経験者にとっても必ずしも容易ではなかった。
【０００４】
本考案は、上記の点に鑑み案出したもので、その目的とするところは、水を加えて軽く攪拌するだけで誰でも（初心者でも、経験者でも）簡単に人工海水が製造できるようにした人工海水の素体の包装容器を提供することにある。
【課題を解決するための手段】
【０００５】
上記の目的を達成するため、本考案に係る人工海水の素体の包装容器は、塩分濃度を海水より濃くした液体を詰めるための密封蓋を有する包装容器であって、該包装容器の上位に満タンを表示した上ラインと、下位に約１０％程度の残量を表示した下ラインを設けたことを特徴とし、包装容器から取り出した液体に水を加えて軽く攪拌するだけで海水に見合うような塩分濃度に調整できるように構成した。
【０００６】
また、請求項２に記載の人工海水の素体の包装容器は、前記塩分濃度を海水より濃くし液体が、塩素中和剤を配合したものであることを特徴とし、包装容器から取り出した液体に、水道水を加えて軽く攪拌するだけで人工海水が得られるように構成した。
【０００７】
さらに、請求項３に記載の人工海水の素体の包装容器は、塩分濃度を海水より１０倍濃くした液体を包装容器に詰めてその容器の形状にしたことを特徴とし、所望の塩分濃度の人工海水を得るために包装容器から取り出した液体に加える水量が最初から数値的に明確になるように構成した。
【考案の効果】
【０００８】
本考案によれば、塩分濃度を海水より濃くした液体を詰めるための密封蓋を有する包装容器であって、該包装容器の上位に満タンを表示した上ラインと、下位に約１０％程度の残量を表示した下ラインを設けたことを特徴としたから、液体の状態で容器ごと販売できしかも、これを買い求めた者は包装容器から液体を水槽等の中に注入し、これに必要な量の水を加えて軽く攪拌するだけで塩分濃度の調整が容易である。したがって、大容量の海水をも家庭において簡単に得られ、海水の運搬コストを大幅に省くことが出来るなど、各種の優れた効果を奏するものである。
【０００９】
また、請求項２に記載の考案によれば、塩素中和剤が配合されているため、カルキ（殺菌用の石灰）を抜かなくても包装容器から取り出した液体に、単に、水道水が加えられるので、家庭等において手軽に海水が製造できるという優れた効果を奏するものである。
【００１０】
さらに、請求項３に記載の考案によれば、包装容器から取り出した液体に、加える水量が最初から数値的に明確になっているから適正な塩分濃度の人工海水を誰にでも簡単に製造（あとから塩分調整は必要）できるという優れた効果を奏するものである。
【考案を実施するための最良の形態】
【００１１】
次に、本考案の実施形態を図面に基づいて説明する。図１は本願人工海水の素体を示す一部切欠正面図、図２は本願人工海水の素体と水道水との混合させる状態を示す説明図である。
【００１２】
本願人工海水の素体１は、図１の如く、塩分濃度を海水より濃くした液体２を、包装容器３に詰めてその容器の形状にしてなる。この包装容器３は、図示の例では、把手付きのプラスチックボトルが示されているが、プラスチック袋のような袋状包装容器であっても良い。また、包装容器３はプラスチック袋と紙箱、あるいは金属箱、あるいはプラスチック箱と組合せたものでもよいが、内部に充填した液体２が一部でも透けて見えるようにしたものがより好ましい。
【００１３】
前記包装容器３は、大（１０Ｌ用）、中（６Ｌ用）、小（３Ｌ用）の３種類ぐらい用意することが好ましい。例えば、図２の如く、水槽４にて人工海水５を作る場合、該水槽４の容量に合わせて大、中、小の包装容器３の中から適当な容量のものを選んで液体２を注入し、水道の蛇口５から水道水６を加えつつ軽く攪拌して人工海水を製造する。このときの塩分濃度は濃度比重計（図示せず）を用いて１．０２０〜１．０２３の範囲内にあるか否かを確認する。
【００１４】
前記本願人工海水の素１を構成する液体２中に含まれている主成分は、塩素（Ｃｌ）、ナトリウム（Ｎａ）、マグネシウム（Ｍｇ）、カルシウム（Ｃａ）、カリウム（Ｋ）、硫黄（Ｓ）、臭素（Ｂｒ）、炭素（Ｃ）、ストロンチウム（Ｓｒ）、ホウ素（Ｂ）、フッ素（Ｆ）、シリコン（Ｓｉ）その他である。勿論、この成分に限定するものではない。
【００１５】
前記液体２は、海洋深層水から採れた天然ミネラル豊富な水を一部又は全部に使うこともある。この液体２にはペーハー（ｐｈ）安定剤を適量混入し、長期にわたってｐｈ８〜８．３に安定維持できるようにすると、海水魚は勿論、サンゴ等の無脊椎動物にも有効である。すなわち、サンゴ等の無脊椎動物に対してｐｈダウンによるストレスを与えることがないためである。また、サンゴ等の無脊椎動物に対してはカルシウム（Ｃａ）がバランス良く配合されていることが有効であるし、コケの発生を抑える天然物質からなるコケ防止剤の配合することもある。
【００１６】
前記本願人工海水の素体１を構成する液体２の塩分濃度は、海水の塩分濃度を基礎としこれより濃く作られている。これは海水を濃縮して濃く作ってもよいが、通常では、粉末又は顆粒状で販売されている人工海水製造用の塩を利用して高濃度の塩分を有する液体２を作っている。したがって、この液体２の塩分濃度は自由に決定できるので、前記包装容器３の表面には、液体２の塩分濃度が、例えば、海水の何倍というように表示しておくと良い。他の表示法を採用してもよい。
【００１７】
前記包装容器３内に詰めた液体２の塩分濃度は、海水の１０倍であると、これに加える水の量が最初から明確になる点で好ましい。ここに「海水の１０倍」とは、例えば、１０Ｌ用の包装容器３から液体２にて１００リットルの海水を製造する場合、１０Ｌ用の包装容器３から１０リットルの液体２を取出し、水を加えて１００リットルにすることを意味する。加える水自体の量は９０リットルとなる。
【００１８】
前記液体２を原液として海水の塩分濃度に見合うように調整する場合、通常は、塩分濃度を比重計で測定しつつ水を加えて行くが、１０倍の水で薄めれば良いというようになっていれば、その調整がより楽になるものである。
【００１９】
前記包装容器３に詰めた液体２には塩素中和剤を配合しておくこともある。これは図２の如く、カルキを抜かない水道水もそのまま液体（原液）２を薄める水として利用できるようにするために有効である。これにより、誰でも（初心者でも）手軽に人工海水が製造できるようになる。
【００２０】
前記包装容器３は、その上位には、満タンを表示した上ライン７と、下位には約１０％程度の残量を表示した下ライン８が設けられている。上ライン７まで液体２を詰めると、例えば、１０Ｌ用の包装容器３で１１リットルとなる。また、下ライン８は残り１０％の残量ラインとなる。なお、包装容器３を傾けたときに１０％の残量を目安として示す、傾斜ライン８′を補助的に設けておくと良い。
【００２１】
前記包装容器３に下ライン８を設けて１０％の残量が得られるようにしたのは、包装容器３から注いだ液体２に水を加えて人工海水を製造してから比重計を用いて塩分濃度を測定し、その濃度が１．０２０〜１．０２３の範囲内であることを確認するが、塩分濃度が１．０２０以下であるときに、上記範囲内まで塩分濃度を上げるように調整する必要があり、そのために使用する。つまり、塩分濃度調整用のためである。
【００２２】
なお、塩分濃度は、水槽中の人工海水の蒸発によって上がることがある。したがって、水槽中の人工海水は適時、濃度比重計を用いてチェックして塩分濃度を調整することが必要である。また、水槽中の人工海水は一定の間隔で半分ないし２／３を交換するが、このときは、予め、他の容器（バケツなど）にて包装容器３から注いだ液体２に水を加えて人工海水を製造するが、そのときも塩分濃度の調整が必要となる。
【００２３】
次に、本考案の作用について説明する。今、たとえば、１００リットル水槽にて、人工海水を作る場合、１０Ｌ用の包装容器３中の液体（原液）２を、下ライン８以下の液体を残して１０リットル分入れる。
【００２４】
前記包装容器３中の液体（原液）２の塩分濃度が、海水の１０倍であって塩素中和剤を配合したものであるときは、前記水槽の１００リットルラインまで水を加えつつ攪拌していく（包装容器の表面に１０倍の表示と塩素中和剤配合の表示ある）。
【００２５】
しかる後、塩分濃度比重計を用いて水槽中の塩分濃度が１．０２０〜１．０２３の範囲内にあるか否かをチェックする。このチェックによって塩分濃度が１．０２０以下であるときは、前記包装容器３に残した２リットルの液体（原液）２を使って塩分濃度が上記範囲内になるまで調整して人工海水とする。
【００２６】
次いで、水槽中の人工海水には、海水で生息する生物、たとえば、飼育者の好みのフレームエンゼルとか、カクレクワノミなどの魚類、あるいはサンゴ等の無脊椎動物などを入れて飼育することとなる。
【産業上の利用可能性】
【００２７】
本願人工海水の素体の包装容器は、包装容器から取出し、これに水（水道水も可）を加えて攪拌するだけで誰でも（初心者でも長年の経験者でも）簡単に人工海水が手軽に製造できるものである。
【図面の簡単な説明】
【００２８】
【図１】本願人工海水の素体の包装容器を示す一部切欠正面図である。
【図２】本願人工海水の素体の包装容器からの液体と水道水とを混合している状態を示す説明図である。
【符号の説明】
【００２９】
１  本願人工海水の素体
２  液体
３  包装容器
４  水槽
５  人工海水
６  水道の蛇口から水
７  上ライン（満タンライン）
８  下ライン（残量１０％ライン）
８′補助ライン